(57)【要約】【課題】メモリの容量が小さくても、デジタルズーム処理を実現することができるズーム処理装置およびズーム処理方法を提供する。【解決手段】デジタル化された被写体光の信号を信号処理する信号処理部３と、信号処理部３から出力された撮像データを縮小ズーム処理する縮小ズーム処理部４と、縮小ズーム処理部４で縮小ズーム処理された撮像データを格納する記憶部５と、記憶部５に格納されている縮小ズーム処理された撮像データを、所望の出力サイズに拡大ズーム処理する拡大ズーム処理部６とを備え、縮小ズーム処理部４は、撮像データを、記憶部５に格納可能なサイズになるように縮小ズーム処理する。【選択図】　図１
2004088510.tif 000002
【特許請求の範囲】
【請求項１】
デジタル化された被写体光の信号を信号処理する信号処理部と、
前記信号処理部から出力された撮像データを縮小ズーム処理する縮小ズーム処理部と、
前記縮小ズーム処理部で縮小ズーム処理された撮像データを格納する記憶部と、
前記記憶部に格納されている前記縮小ズーム処理された撮像データを、所望の出力サイズに拡大ズーム処理する拡大ズーム処理部とを備え、
前記縮小ズーム処理部は、前記撮像データを、前記記憶部に格納可能なサイズになるように縮小ズーム処理することを特徴とするズーム処理装置。
【請求項２】
前記縮小ズーム処理部には、前記所望の出力サイズが入力され、
前記縮小ズーム処理部は、前記所望の出力サイズに基づいて決定した縮小サイズになるように、前記信号処理部から出力された撮像データを縮小ズーム処理する請求項１に記載のズーム処理装置。
【請求項３】
デジタル化された被写体光の信号を信号処理して撮像データとし、前記撮像データを格納し、格納されたデータを、所望の出力サイズにズーム処理するズーム処理方法において、
前記撮像データを格納する前に、縮小ズーム処理してから格納し、
格納されたデータを、前記所望の出力サイズに拡大ズーム処理することを特徴とするズーム処理方法。
【請求項４】
前記撮像データを縮小ズーム処理する場合の縮小サイズは、前記所望の出力サイズに基づいて決定する請求項３に記載のズーム処理方法。
【発明の詳細な説明】
【０００１】
【発明の属する技術分野】
本発明はイメージセンサによる被写体の撮像で得られた信号を信号処理し出力する際のズーム処理に関するものである。
【０００２】
【従来の技術】
近年、携帯電話をはじめとする携帯端末に搭載することを目的としたカメラシステムが開発されている。このようなカメラシステムは携帯型ということもあり、小型化を図らなければならないと同時に、コミュニケーションツールとして十分な画質とアプリケーションが求められている。
【０００３】
従来のカメラシステムで、撮像した被写体をズーム表示する場合の、ズーム処理装置１１０の動作について図３を用いて説明する。
【０００４】
従来のカメラシステムで被写体を撮像すると、被写体光がイメージセンサ１０１で電気信号に変換され、さらに、Ａ／Ｄ変換器１０２でＡ／Ｄ変換される。このデジタル信号が、ズーム処理装置１１０に入力される。デジタル信号は、信号処理部１０３で必要な信号処理を施されて撮像データとなる。すべての撮像データは、一旦、メモリ１０５に格納される。ズーム処理部１０７は、入力されているズーム位置およびズームサイズの指定に応じて、メモリ１０５に格納された格納データに、縮小ズームまたは拡大ズーム処理を施し、出力データとして出力し、表示する。
【０００５】
メモリ１０５に格納されている格納データのサイズはイメージセンサ１０１で撮像された１フレーム分のサイズと同一である。つまり、図４に示しているように、信号処理部１０３で信号処理された後の撮像データ１２１がそのままメモリ１０５に格納される。つまり、撮像データ１２１と格納データ１２２とは、同一サイズである。撮像した被写体を拡大表示する場合には、格納データ１２２を拡大ズーム処理して、拡大出力データ１２３を出力し、縮小表示する場合には、格納データ１２２を縮小ズーム処理して、縮小出力データ１２４を出力する。
【０００６】
【発明が解決しようとする課題】
従来のデジタルズーム処理装置では、信号処理後の全撮像データを一旦メモリ１０５内に格納しなければならないため、少なくとも１フレーム分のメモリ１０５容量が必要とされる。今後は、さらにイメージセンサ１０１の解像度が大きくなるため、メモリ１０５の容量はさらに増大する。そのため、コストが上昇や、メモリ１０５の大型化に伴いズーム処理装置も大型化してしまうという問題がある。
【０００７】
本発明は、上記問題点を解決するためになされたものであり、メモリの容量が小さくても、デジタルズーム処理を実現することができるズーム処理装置およびズーム処理方法を提供することを目的とする。
【０００８】
【課題を解決するための手段】
本発明のズーム処理装置は、デジタル化された被写体光の信号を信号処理する信号処理部と、前記信号処理部から出力された撮像データを縮小ズーム処理する縮小ズーム処理部と、前記縮小ズーム処理部で縮小ズーム処理された撮像データを格納する記憶部と、前記記憶部に格納されている前記縮小ズーム処理された撮像データを、所望の出力サイズに拡大ズーム処理する拡大ズーム処理部とを備えている。そして、前記縮小ズーム処理部は、前記撮像データを、前記記憶部に格納可能なサイズになるように縮小ズーム処理する。それにより、記憶部を大容量化する必要がなく、小容量の記憶部を用いて構成することができるため、コストの上昇を防ぎ、さらに小型化が可能となる。
【０００９】
また、好ましくは、前記縮小ズーム処理部には、前記所望の出力サイズが入力され、前記縮小ズーム処理部は、前記所望の出力サイズに基づいて決定した縮小サイズになるように、前記信号処理部から出力された撮像データを縮小ズーム処理する。それにより、前記縮小ズーム処理部での縮小サイズが最適化され、カメラシステムにおいても最適な解像度の拡大もしくは縮小表示がなされる。
【００１０】
また、本発明のズーム処理方法は、デジタル化された被写体光の信号を信号処理して撮像データとし、前記撮像データを格納し、格納されたデータを、所望の出力サイズにズーム処理するズーム処理方法において、前記撮像データを格納する前に、縮小ズーム処理してから格納し、格納されたデータを、前記所望の出力サイズに拡大ズーム処理する。それにより、記憶部が小容量であっても拡大もしくは縮小ズーム処理することができる。そのため、低コストで小型のカメラシステムを実現することができる。
【００１１】
また、好ましくは、前記撮像データを縮小ズーム処理する場合の縮小サイズは、前記所望の出力サイズに基づいて決定する。それにより、最適な解像度でズーム処理ができる。
【００１２】
【発明の実施の形態】
本発明の実施の形態に係るズーム処理装置について図１を用いて説明する。同図は、カメラシステムで撮像した被写体をズーム表示する場合を示したものである。ＣＣＤやＣＭＯＳセンサなどによる固体撮像素子であるイメージセンサ１が、被写体からの光を光電変換し、被写体光に対応した電気信号であるセンサ信号として出力する。このイメージセンサ１の解像度は、例えば、６４０×４８０（ＶＧＡサイズ）である。
【００１３】
センサ信号は、Ａ／Ｄ変換器２でアナログデータからデジタルデータに変換される。デジタルデータ化されたセンサ信号は、ズーム処理装置１０に入力されズーム処理される。
【００１４】
ズーム処理装置１０は、信号処理部３、縮小ズーム処理部４、記憶部であるメモリ５、拡大ズーム処理部６で構成されている。信号処理部３は、デジタルデータ化されたセンサ信号を信号処理して撮像データとする。撮像データを縮小ズーム処理してから、例えば、１７４×１４４画素分（ＱＣＩＦサイズ）の格納サイズを持つメモリ５に格納し、格納されたデータを拡大ズーム処理（等倍も含む）することで、入力されているズーム位置およびズームサイズの指定に応じた出力データとして出力する。
【００１５】
具体的には、信号処理部３はデジタル化されたセンサ信号に補間処理、ＡＷＧ、ＹＵＶ処理等の一般的な信号処理を施して、ＹＵＶ成分で表わされた撮像データに変換する。撮像データは、縮小ズーム処理部４で縮小ズーム処理（等倍出力を含む）されてからメモリ５に格納される。撮像データの縮小サイズは、メモリ５に全てのデータが格納され得る大きさである。指定されたズーム位置およびズームサイズは、拡大ズーム処理部６に入力されていて、拡大ズーム処理部６は、格納された撮像データを拡大ズーム処理（等倍出力を含む）して出力データとして出力する。出力データは、ディスプレイで表示される。
【００１６】
図２を用いて、各データのサイズについて説明する。信号処理部３から出力された撮像データ２１は、イメージセンサ１で撮像されたデータそのままのサイズである。したがって、このままのサイズで格納するには、１フレーム分の容量がメモリ５には必要である。この撮像データ２１を縮小ズーム処理部４で縮小ズームすることで、格納データ２２が得られる。格納データ２２は、撮像データ２１よりも小さい情報量である。したがって、格納データ２２を格納するメモリ５は、撮像データ２１のサイズである１フレーム分よりも小さい容量でよい。
【００１７】
メモリ５に格納された格納データ２２は、拡大ズーム処理部６で適当な倍率で拡大処理され（等倍も含む）て、所望のサイズの出力データになり、出力される。
【００１８】
具体的には、撮像した被写体を拡大表示する場合には、格納データ２２を拡大ズーム処理して、拡大出力データ２３を出力する。また、格納データ２２は拡大せずに等倍としても、出力データのサイズは、撮像データ２２に比べて縮小された縮小出力データ２４となる。したがって、縮小表示する場合であっても、格納データ２２を拡大ズーム処理して、縮小出力データ２４を出力する。
【００１９】
このように、メモリ５の容量が小さくても、拡大および縮小ズーム処理が可能である。それにより、コストの上昇および大型化を防ぐことができる。
【００２０】
また、指定されたズーム位置およびズームサイズが、縮小ズーム処理部４にも入力されるとなおよい。そうすることで、縮小ズーム処理部４で必要以上の倍率で撮像データを縮小ズーム処理することなく、最適の縮小倍率で縮小処理することができる。それにより、カメラシステムにおける表示の解像度が最適となり、画質が劣化することがない。
【００２１】
なお、以上説明した本実施の形態においては、一旦縮小ズーム処理を行なったデータに対し、拡大ズーム処理を行なうため、カメラシステムの表示における画質劣化が懸念される。しかし、本実施の形態のズーム処理装置および処理方法は携帯端末用のカメラシステムに適用するものであり、画像を表示するディスプレイは小型である。そのため、ディスプレイの解像度と扱うデータの解像度を比較し、格納データを画質劣化のない最適なサイズにすることは容易に実現することができる。したがって、画質劣化をほとんど目立たなくすることは十分可能である。
【００２２】
【発明の効果】
本発明のズーム処理装置によれば、デジタル化された被写体光の信号を信号処理する信号処理部と、信号処理部から出力された撮像データを縮小ズーム処理する縮小ズーム処理部と、縮小ズーム処理部で縮小ズーム処理された撮像データを格納する記憶部と、記憶部に格納されている縮小ズーム処理された撮像データを、所望の出力サイズに拡大ズーム処理する拡大ズーム処理部とを備え、縮小ズーム処理部は、撮像データを、記憶部に格納可能なサイズになるように縮小ズーム処理することとした。それにより、メモリの容量が小さくても、拡大もしくは縮小ズーム処理が可能である。
【図面の簡単な説明】
【図１】本発明のデジタルズーム処理装置の構成を示すブロック図
【図２】本発明のデジタルズーム処理装置のデータの流れについての説明図
【図３】従来のデジタルズーム処理装置の構成を示すブロック図
【図４】従来のデジタルズーム処理装置のデータの流れについての説明図
【符号の説明】
１、１０１　　イメージセンサ
２、１０２　　Ａ／Ｄ変換器
３、１０３　　信号処理部
４　　　　　　縮小ズーム処理部
５、１０５　　メモリ
６　　　　　　拡大ズーム処理部
１０７　　　　ズーム処理部
１０、１１０　ズーム処理装置
２１、１２１　撮像データ
２２、１２２　格納データ
２３、１２３　拡大出力
２４、１２４　縮小出力
【図１】
2004088510.tif 000003
【図２】
2004088510.tif 000004
【図３】
2004088510.tif 000005
【図４】
2004088510.tif 000006